(57)【要約】      （修正有）【課題】消しゴムの破損を防ぎ、字図が消しやすく、指先で把持し易く、長時間使用しても指先が疲労しない消しゴムケースを提供する。【解決手段】消しゴムケース１０のケース本体を、弾性を有する素材で形成し、指で把持する際に、把持位置に凹部１３を設け、滑り難く持ちやすい構成とする。【選択図】図３
0003132318.tif 000002
【実用新案登録請求の範囲】
【請求項１】
弾性を有する素材により形成されたことを特徴とする消しゴムケース。
【請求項２】
上記ケースは全体略中空直方体形状に形成され、互いに対向する小さな幅寸法に形成された両側面部の長さ方向両端部は、長さ方向中間部から上記両端部にかけて次第に膨出する逆テーパ状に形成されていることを特徴とする請求項1記載の消しゴムケース。
【請求項３】
上記ケースの、互いに対向する大きな幅寸法に形成された両側面部の長さ方向端部には、夫々、凹部が形成されていることを特徴とする請求項２記載の消しゴムケース。
【請求項４】
上記ケースの素材はエラストマーであることを特徴とする請求項３記載の消しゴムケース。
【請求項５】
上記ケースの素材はシリコンであることを特徴とする請求項３記載の消しゴムケース。
【考案の詳細な説明】
【技術分野】
【０００１】
本考案は消しゴムを収納し、保護する消しゴムケースに関する。
【背景技術】
【０００２】
消しゴムを収納し、破損や汚れから消しゴムを保護する消しゴムケースにおいては、紙もしくは硬質のプラスチックにて形成されるのが一般的である。
【０００３】
消しゴム使用時は、消しゴムに上記ケースを装着した状態で、上記ケースを指先で把持していた。
【０００４】
しかし、従来品においては、上記ケースが、紙もしくは硬質のプラスチックにて形成されているため、把持時に指が滑り易いという問題があった。
【０００５】
さらに、従来品においては、字図の消去作業時に上記ケース内で消しゴムがずれてしまい、不要な部分まで消してしまう可能性があった。
【０００６】
また、上記ケースは紙もしくは硬質プラスチックで形成されているため、弾性力が無く、また柔軟性も乏しいことから、把持時に指に馴染み難い。従って長時間使用すると指が疲れるという問題があった。
【考案の開示】
【考案が解決しようとする課題】
【０００７】
そこで本考案の課題は、指先で把持し易く、字図が消しやすく、さらに長時間使用しても指先が疲労しない消しゴムケースを提供することにある。
【課題を解決するための手段】
【０００８】
上記課題を解決するために、請求項１に記載された考案に係る消しゴムケースは、弾性を有する素材により形成されたことを特徴とする。
【０００９】
すなわち、本考案に係る消しゴムケースにおいては、ケースの弾力性によりケースを押圧した状態で把持できることから、スリップすることなく確実に把持できる。
【００１０】
また、請求項２記載の考案に係る消しゴムケースは、全体略中空直方体形状に形成され、互いに対向する小さな幅寸法に形成された両側面部の長さ方向両端部は、長さ方向中間部から上記両端部にかけて次第に膨出する逆テーパ状に形成されていることを特徴とする。
【００１１】
すなわち、本考案に係る消しゴムケースにおいては、両側面部に対して指がフィットしやすく把持し易い。
【００１２】
また、請求項３記載の考案に係る消しゴムケースは、互いに対向する大きな幅寸法に形成された両側面部の長さ方向端部には、夫々、凹部が形成されていることを特徴とする
【００１３】
すなわち、本考案に係る消しゴムケースにあっては、上記凹部によって両側面部に指が添え易く、より把持し易くなる。
【００１４】
また、請求項４記載の考案に係る消しゴムケースにおいては、ケースの素材がエラストマーであることを特徴とする。
【００１５】
すなわち、本考案に係る消しゴムケースにあっては、エラストマーの弾性により、把持時の触感が柔軟になり把持し易い。
【００１６】
また、請求項５記載の考案に係る消しゴムケースにおいては、ケースの素材はシリコンであることを特徴とする。
【００１７】
すなわち、本考案に係る消しゴムケースにあっては、シリコンの弾性により、把持時の触感が柔軟になり把持し易い。
【考案の効果】
【００１８】
請求項１記載の考案に係る消しゴムケースは、弾性を有する素材により形成されているため、上記ケースと把持する指、及び消しゴムと上記ケースが密着し、字図の消去作業時において滑りによるずれを防止することができる。
また、把持時に指が滑り難いことから、長時間把持していても指が疲れ難い。
【００１９】
請求項２記載の考案に係る消しゴムケースは、上記ケースは、全体略中空直方体形状に形成され、互いに対向する小さな幅寸法に形成された両側面部の長さ方向両端部は、長さ方向中間部から上記両端部にかけて次第に膨出する逆テーパ状に形成されているため、両側面部と指がよりフィットし、長時間把持していても指が疲れ難い。
【００２０】
請求項３記載の考案に係る消しゴムケースは、互いに対向する大きな幅寸法に形成された両側面部の長さ方向端部には、夫々、凹部が形成されているため、両側面部に指が添え易く把持し易い。また長時間把持していても指が疲れ難い。
【００２１】
請求項４記載の考案に係る消しゴムケースは、素材がエラストマーであるため、弾性と柔軟性を有し、把持し易い。また、上記ケースと消しゴムも密着し、字図の消去作業時において滑りによるずれを防止することができる。
また、把持時に指が滑り難いことから、長時間把持していても指が疲れ難い。
【００２２】
請求項５記載の考案に係る消しゴムケースは、素材がシリコンであるため、弾性と柔軟性を有し、把持し易い。また、上記ケースと消しゴムも密着し、字図の消去作業時において滑りによるずれを防止することができる。
また、把持時に指が滑り難いことから、長時間把持していても指が疲れ難い。
【考案を実施するための最良の形態】
【００２３】
以下添付図面に記載された本考案の実施の形態に基づき、本考案を説明する。
【００２４】
本実施の形態に係る消しゴムケース１０は、弾性力を有する柔軟な素材であるエラストマー若しくはシリコンで形成され、上記ケース１０は、全体略中空直方体形状に形成され、互いに対向する小さな幅寸法に形成された両側面部１１の長さ方向両端部１５は、長さ方向中間部１６から上記両端部１５にかけて次第に膨出する逆テーパ状に形成されている。消しゴム１４は上記ケース１０の内部に挿入されている。
上記ケース１０の互いに対向する大きな幅寸法に形成された両側面部１２の長さ方向端部１７には、夫々、凹部１３が形成されている。
【実施例】
【００２５】
以下に、本実施例について詳細を説明する。
まず、図１に示すように、消しゴムケース１０は、全体略中空直方体形状に形成されており、消しゴム１４は上記ケース１０の内部に挿入され、上記消しゴム１４の各側面部は、上記ケース１０の内側面にて保持されている。
【００２６】
使用時は、上記消しゴム１４と共に上記ケース１０を、上記ケースの互いに対向する大きな幅寸法に形成された両側面部１２の長さ方向端部１７に夫々設けられた凹部１３を指で把持する。
【００２７】
以下、本実施例の作用について説明する。
【００２８】
上記ケース１０の素材であるエラストマー若しくはシリコンはその性質上弾性力を有し、且つ柔軟である。またその表面摩擦力が大きい。従って、上記ケース１０の内部に消しゴム１４を挿入した場合は内表面と上記消しゴム１４の外表面の摩擦力により、上記消しゴム１４は上記ケース１０の内部に滑り難い状態で保持されうる。
【００２９】
また、素材の弾力性と柔軟性により上記ケース１０を押圧した状態で把持できることから、指が滑り難く、また字図を消去するため紙面（図示せず）表面と上記消しゴム１４を擦過させた際にずれたりすることが無い。
【００３０】
また、エラストマー若しくはシリコンの柔軟性ゆえ、指に馴染み易く、多量の字図を消去する作業でも、指を痛めたりすることがない。
【００３１】
更に、消去作業時に要する力も少なくて済むため、長時間の作業でも指が疲れ難い。
【００３２】
なお、本実施例においては、上記ケース１０の素材をエラストマー若しくはシリコンとしているが、上記エラストマーには、生ゴム、合成ゴムの他、熱可塑性エラストマーが含まれ、そのいずれを用いても同様の作用効果を得ることが可能である。
【産業上の利用可能性】
【００３３】
本製品は、消しゴムを保収納し保護する消しゴムケースに適用可能である。
【図面の簡単な説明】
【００３４】
【図１】本実施の形態に係る消しゴムケースの斜視図である。
【図２】本実施の形態に係る消しゴムケースに消しゴムを挿入した場合の斜視図である。
【図３】本実施の形態に係る消しゴムケースに消しゴムを挿入した状態で、指で把持した場合の斜視図である。
【符号の説明】
【００３５】
１０  消しゴムケース
１１  消しゴムケース１０における小さな幅方向の両側面部
１２  消しゴムケース１０における大きな幅方向の量側面部
１３  凹部
１４  消しゴム
１５  上記両側面部１１の長さ方向両端部
１６  上記両側面部１１の中央部
１７  上記両側面部１２の長さ方向端部
【図１】
0003132318.tif 000003
【図２】
0003132318.tif 000004
【図３】
0003132318.tif 000005